(57)【要約】【課題】適切なガンマ補正を行うことが可能な有機ＥＬ表示装置を実現すること。【解決手段】複数の有機ＥＬ素子を具備する発光部１と、有機ＥＬ素子に対応する標準的なガンマ補正データから成る標準ガンマテーブルを記憶保持する記憶部６と、色調調整データおよび／または階調調整データが入力され、入力された色調調整データおよび／または階調調整データに基づいて標準ガンマテーブルを調整し、この調整された被調整ガンマテーブルを出力するテーブル出力部１５と、テーブル出力部によって出力された被調整ガンマテーブルに基づいて有機ＥＬ素子に対応する画像データをガンマ補正する駆動ＩＣ５と、を備える。【選択図】        図２
2007274198.tif 000002
【特許請求の範囲】
【請求項１】
複数の有機ＥＬ素子を具備する表示部と、
前記有機ＥＬ素子に対応する標準的なガンマ補正データから成る第１ガンマテーブルを記憶保持する第１記憶部と、
色調調整データおよび／または階調調整データが入力され、該入力される色調調整データおよび／または階調調整データに基づいて前記第１ガンマテーブルを調整し、該調整された第２ガンマテーブルを出力するテーブル出力部と、
前記テーブル出力部によって出力された前記第２ガンマテーブルに基づいて前記有機ＥＬ素子に対応する画像データをガンマ補正する駆動部と、
を備えたことを特徴とする有機ＥＬ表示装置。
【請求項２】
請求項１に記載の有機ＥＬ表示装置において、
前記色調調整データおよび／または階調調整データが入力される入力部を更に備えたことを特徴とする有機ＥＬ表示装置。
【請求項３】
請求項１または請求項２に記載の有機ＥＬ表示装置において、
前記テーブル出力部によって出力された前記第２ガンマテーブルを記憶保持する第２の記憶部を更に備えたことを特徴とする有機ＥＬ表示装置。
【請求項４】
請求項１乃至３のいずれか一つに記載の有機ＥＬ表示装置において、
前記第２の記憶部は、前記第２ガンマテーブルが記憶保持される前の初期設定の状態では、前記第１ガンマテーブルが記憶保持されていることを特徴とする有機ＥＬ表示装置。
【請求項５】
請求項１乃至４のいずれか一つに記載の有機ＥＬ表示装置において、
前記第２ガンマテーブルに基づいてガンマ補正を行う前の画像データのビット数をｎ（ｎは自然数）、前記第２ガンマテーブルに基づいてガンマ補正された画像データのビット数をｍ（ｍは自然数）とすると、ｍ＞ｎの関係を満足することを特徴とする有機ＥＬ表示装置。
【請求項６】
請求項１乃至請求項５のいずれか一つに記載の有機ＥＬ表示装置において、
前記表示部が配置される基板と、前記テーブル出力部及び／または前記入力部が配置される外部基板と、を備えたことを特徴とする有機ＥＬ表示装置。
【請求項７】
複数の有機ＥＬ素子を有する有機ＥＬ表示装置に駆動方法において、
前記有機ＥＬ素子に対応する標準的なガンマ補正データからなる第１ガンマテーブルを準備するステップと、
前記第１ガンマテーブルを、入力される色調調整データおよび／または階調調整データに基づいて調整し、前記第２ガンマテーブルを出力するステップと、
前記第２ガンマテーブルに基づいて前記有機ＥＬ素子の画像データをガンマ補正するステップと、
を含むことを特徴とする有機ＥＬ表示装置における有機ＥＬ表示装置の駆動方法。
【請求項８】
請求項７に記載の有機ＥＬ表示装置の駆動方法において、
前記第２ガンマテーブルに基づいてガンマ補正を行う前の画像データのビット数をｎ（ｎは自然数）、前記第２ガンマテーブルに基づいてガンマ補正された画像データのビット数をｍ（ｍは自然数）とすると、ｍ＞ｎの関係を満足することを特徴とする有機ＥＬ表示装置の駆動方法。
【請求項９】
請求項７または請求項８に記載の有機ＥＬ表示装置の駆動方法において、
前記色調調整データおよび／または階調調整データは外部よりユーザによって入力されることを特徴とする有機ＥＬ表示装置の駆動方法。
【発明の詳細な説明】
【技術分野】
【０００１】
本発明は、有機ＥＬ（ＥｌｅｃｔｒｏＬｕｍｉｎｅｓｃｅｎｃｅ）表示装置および有機ＥＬ表示装置の駆動方法に関するものである。
【背景技術】
【０００２】
モバイルコンピューティングが盛んになるにつれて、平面型の表示装置に対する需要が増加している。平面型の表示装置としては、従来、液晶表示装置が一般に用いられている。しかしながら、液晶表示装置には、視野角が狭い、応答特性が悪いといった問題点が存在していた。
【０００３】
これに対して、視野角が広く、しかも応答特性がよい平面型の画像表示装置として、近年、有機ＥＬ素子を用いた画像表示装置（以下「有機ＥＬ表示装置」という）が注目されている。有機ＥＬ素子は、発光層に注入された正孔と電子とが発光再結合することによって自らが発光する機能を有しているため、液晶表示装置では必要とされるバックライトが不要となり、装置の薄型化に最適であるとともに、視野角にも制限がない。このため、液晶表示装置に替わる次世代の表示装置として実用化が期待され、また、一部の用途ではすでに実用化されている。
【０００４】
ところで、画像表示装置では、表示パネル上の各画素に入力される入力画像信号と表示パネル上の当該各画素における輝度との関係を示すガンマ特性が、表示パネルごとに異なるというのが一般的であるため、入力画像信号と発光輝度との関係を、表示パネル固有のガンマ特性に合致させるためのガンマ補正を行う必要があった。
【０００５】
ここで、液晶表示装置におけるガンマ補正技術を開示した文献として、例えば下記に示す特許文献１などがある。この特許文献１では、液晶表示装置の用途の多様化に伴い、例えば表示パネルが車載用として使用される場合を想定し、広い温度範囲で良好な画像表示を可能とするために、液晶表示装置に具備するようにしたガンマ補正回路が、使用周囲温度に依存して変化する表示パネルのガンマ特性を検出温度に基づいて補正する技術が開示されている。なお、この文献の段落「００２４」には、「ガンマ補正が必要な表示装置（例えば有機ＥＬ表示装置）にも適用することが可能である」旨の記述がなされているが、具体的な構成や手段等は明らかにされていない。
【０００６】
【特許文献１】特開２００４−３４１３５９８号公報
【発明の開示】
【発明が解決しようとする課題】
【０００７】
上述のガンマ補正に関し、例えば液晶表示装置では、アナログ信号にてガンマ補正を行うアナログ方式が使用されることが多い。その理由は、主として、つぎの２点が挙げられる。まず、液晶表示装置の場合には、ガンマ特性の傾きの変化が大きく、中間調においては低階調および高階調に比べて高精度の制御が必要とされるが、この処理を効率的に実現するには、非直線性の特性を有するＤＡ（ディジタル・アナログ）コンバータを使用するのが有効となるからである。また、液晶表示装置では、ＲＧＢの各色を表示する画素として同一画素の使用が可能であり、ＲＧＢの各画素への入力画像信号として同一のガンマ特性を使用することができので、アナログ方式を使用したとしても、回路規模の増大を抑制することができるからである。このような理由で、液晶表示装置には、一般的にアナログ方式が用いられることが多い。
【０００８】
一方、有機ＥＬ表示装置では、ＲＧＢの各色を表示する画素として異なる画素が使用されるので、ＲＧＢの各画素に用いられる発光素子には色ごとに特性の差異が存在する。また、有機ＥＬ表示装置では、製造ロットが異なると、製造ばらつきによって、表示パネルの製造ロットごとに特性の差異が存在する。さらに、これらの差異は、発光素子を制御する駆動トランジスタ（例えば薄膜トランジスタ）の特性の優劣とも相まって増大する。このように、有機ＥＬ表示装置の各画素におけるガンマ特性の差異は、液晶表示装置のそれとは大きく異なる。したがって、有機ＥＬ表示装置において、ＲＧＢごとのグラデーションを確保しつつ良好な表示制御を行うためには、液晶表示装置におけるガンマ補正技術をそのまま適用することは困難であり、有機ＥＬ表示装置に固有なガンマ補正技術を検討する必要があった。
【０００９】
本発明は、上記に鑑みてなされたものであって、適切なガンマ補正を実行可能とする有機ＥＬ表示装置および有機ＥＬ表示装置の駆動方法を提供することを目的とする。
【課題を解決するための手段】
【００１０】
上述した課題を解決し、目的を達成するために、本発明にかかる有機ＥＬ表示装置は、複数の有機ＥＬ素子を具備する表示部と、前記有機ＥＬ素子に対応する標準的なガンマ補正データから成る第１ガンマテーブルを記憶保持する第１記憶部と、色調調整データおよび／または階調調整データが入力され、該入力される色調調整データおよび／または階調調整データに基づいて前記第１ガンマテーブルを調整し、該調整された第２ガンマテーブルを出力するテーブル出力部と、前記テーブル出力部によって出力された前記第２ガンマテーブルに基づいて前記有機ＥＬ素子に対応する画像データをガンマ補正する駆動部と、を備えたことを特徴とする。
【００１１】
また、つぎの発明にかかる有機ＥＬ表示装置は、上記の発明において、前記テーブル出力部によって出力された前記第２ガンマテーブルを記憶保持する第２の記憶部を更に備えたことを特徴とする。
【００１２】
また、つぎの発明にかかる有機ＥＬ表示装置は、上記の発明において、前記第２の記憶部は、前記第２ガンマテーブルが記憶保持される前の初期設定の状態では、前記第１ガンマテーブルが記憶保持されていることを特徴とする。
【００１３】
また、つぎの発明にかかる有機ＥＬ表示装置は、上記の発明において、前記第２ガンマテーブルに基づいてガンマ補正を行う前の画像データのビット数をｎ（ｎは自然数）、前記第２ガンマテーブルに基づいてガンマ補正された画像データのビット数をｍ（ｍは自然数）とすると、ｍ＞ｎの関係を満足することを特徴とする。
【００１４】
また、つぎの発明にかかる有機ＥＬ表示装置は、上記の発明において、表示部が配置される基板と、前記テーブル出力部及び／または前記入力部が配置される外部基板と、を備えたことを特徴とする。
【００１５】
また、つぎの発明にかかる有機ＥＬ表示装置の駆動方法は、複数の有機ＥＬ素子を有する有機ＥＬ表示装置に駆動方法において、前記有機ＥＬ素子に対応する標準的なガンマ補正データからなる第１ガンマテーブルを準備するステップと、前記第１ガンマテーブルを、入力される色調調整データおよび／または階調調整データに基づいて調整し、前記第２ガンマテーブルを出力するステップと、前記第２ガンマテーブルに基づいて前記有機ＥＬ素子の画像データをガンマ補正するステップと、を含むことを特徴とする。
【００１６】
また、つぎの発明にかかる有機ＥＬ表示装置の駆動方法は、上記の発明において、前記第２ガンマテーブルに基づいてガンマ補正を行う前の画像データのビット数をｎ（ｎは自然数）、前記第２ガンマテーブルに基づいてガンマ補正された画像データのビット数をｍ（ｍは自然数）とすると、ｍ＞ｎの関係を満足することを特徴とする。
【００１７】
また、つぎの発明にかかる有機ＥＬ表示装置の駆動方法は、上記の発明において、前記色調調整データおよび／または階調調整データは外部よりユーザによって入力されることを特徴とする。
【発明の効果】
【００１８】
本発明によれば、第１ガンマテーブルを、入力される色調および／または階調に関する調整データに基づいて調整し、調整された第２ガンマテーブルを出力するようにしたことから、表示パネルの製造ロットごとの特性の差異や発光素子を制御する駆動トランジスタの特性の優劣の影響、あるいは、ユーザ側の好みの色調や階調（硬調または軟調）で表示することができる。
【発明を実施するための最良の形態】
【００１９】
以下、図面を参照して、本発明にかかる有機ＥＬ表示装置の好適な実施の形態および有機ＥＬ表示装置の駆動方法を図面に基づいて詳細に説明する。なお、以下の実施の形態によって本発明が限定されるものではない。
【００２０】
（実施の形態１）
図１は、携帯情報端末などの表示部に適用される本発明の好適な実施の形態にかかる有機ＥＬ表示装置の概略構成を示す図であり、この有機ＥＬ表示装置を正面から視認したときの主要構成部の概略配置を図示している。
【００２１】
図１に示す有機ＥＬ表示装置は、マトリックス状に配置される複数の画素から成る発光部１（表示部）を有し、ガラス等を組成とする素子基板２と、ガラス等を組成とし、発光部１の表面を覆うように素子基板２に対向して設けられた封止基板３と、素子基板２と封止基板３との間に配置され、発光部１を取り囲み、素子基板２と封止基板３とを接合（接着）するためのシール材である封止材４と、を備えた構成を有している。
【００２２】
素子基板２は、その上面の発光部１を構成する各画素内に、画像表示信号に基づいて発光する有機ＥＬ素子（通常、ＲＧＢの有機ＥＬ素子が存在する）を有している。さらに、素子基板２の上面のうち、発光部１以外の領域には、有機ＥＬ素子を駆動するための駆動ＩＣ５と、発光部１を構成する有機ＥＬ素子の特性等を考慮して決定されるガンマテーブル（以下「標準ガンマテーブル」という）を記憶保持する、例えばＥＥＰＲＯＭである記憶部（第１の記憶部）６と、この標準ガンマテーブル（第１ガンマテーブル）に対して、後述する被調整ガンマテーブル（第２ガンマテーブル）を記憶保持する例えばＳＲＡＭである記憶部（第２の記憶部）７と、が備えられている。
【００２３】
また、有機ＥＬ表示装置の本体側には、外部より色調調整データ及び／または階調調整データが入力される入力部１１と、該入力部１１に入力された色調調整データ及び／または階調調整データに基づいて標準ガンマテーブルを変換して被調整ガンマテーブルを出力するテーブル出力部１５を有する制御ＩＣ１０と、が基板９に搭載され、この本体側の基板９と表示部側の素子基板２との間には、ＦＰＣ（Ｆｌｅｘｉｂｌｅ  Ｐｒｉｎｔ  Ｃｉｒｃｕｉｔｂｏａｒｄ）８が接続されている。なお、本体側の制御ＩＣ１０と表示部側の駆動ＩＣ５や記憶部６，７との間の所要の通信は、このＦＰＣ８を通じて行われ、制御ＩＣ１０は、全体の制御も行っている。また、入力部１１としては、ボタンやスイッチ、色調調整データや階調調整データが記憶されたメモリーカード等の記憶媒体が接続されるアダプタ等の構成が考えられ、かかる構成によって色調調整データや階調調整データが入力される。
【００２４】
図２は、本発明の実施の形態１にかかる標準ガンマテーブルの変換処理過程を示す図であり、より詳細には、標準ガンマテーブル（第１ガンマテーブル）、被調整ガンマテーブル（第２ガンマテーブル）および被調整ガンマテーブルによってガンマ補正された画像データ（以下「被調整画像データ」という）を、図１に示した記憶部（ＥＥＰＲＯＭ）６、制御ＩＣ１０、記憶部（ＳＲＡＭ）７および駆動ＩＣ５の各構成部間の入出力に関係づけて示した図である。図２に示すように、記憶部６には標準ガンマテーブルが記憶される。また、制御ＩＣ１０にはテーブル出力部１５が設けられる。また、記憶部７には、被調整ガンマテーブルがルックアップテーブル（ＬＵＴ）として記憶される。なお、ルックアップテーブルは、駆動ＩＣ５の中に保存されていてもよい。
【００２５】
つぎに、標準ガンマテーブル、被調整ガンマテーブルおよび被調整画像データが生成出力される処理の流れについて図２および図３を参照して説明する。ここで、図３は、標準ガンマテーブルから被調整ガンマテーブルが生成される概念を示す図である。図３の上段部には、記憶部６に保持される標準ガンマテーブルの一例を色（赤・緑・青）ごとに示している。一方、同図の下段部には、被調整ガンマテーブルの一例（赤色の場合）を、階調／色調別に示している。また、上段部及び下段部に示された各テーブルの横軸は画像入力データであり、縦軸は画像出力データ（画像入力データがガンマテーブルによって補正された結果を示す画像データ）である。
【００２６】
（１）まず、標準ガンマテーブルが保持された記憶部６より標準ガンマテーブルが制御ＩＣ１０に読み込まれる。また、制御ＩＣ１０には外部より所望の色調／階調調整データが入力される。色調調整データは、１階調上昇させた場合の発光輝度の上昇度合い（以下、「輝度勾配」という。）を表すデータである。各色の有機ＥＬ素子の輝度勾配を個々に変動させることで、各色の出力が調整され、色調を変化させることができる。階調調整データは、輝度勾配の変化の度合いを表すデータであり、表示画像の硬調あるいは軟調の度合いを決定するものである。階調調整データが硬調側にシフトされると、高階調レベルにおいて輝度勾配が大きくなり、低階調レベルにおいて輝度勾配が小さくなる。一方、階調調整データが軟調側にシフトされると、高階調レベルにおいて輝度勾配が小さくなり、低階調レベルにおいて輝度勾配が大きくなる。
（２）つぎに、制御ＩＣ１０のテーブル出力部１５は、入力された色調／階調調整データに基づいて標準ガンマテーブルを調整することにより、被調整ガンマテーブル（図３の下段部参照）を作成し、これを被調整ガンマテーブルとして記憶部７に伝送する。
（３）そして、制御ＩＣ１０から伝送された被調整ガンマテーブルは、ルックアップテーブルとして記憶部７に保持される。このようにして、記憶部７に被調整ガンマテーブルがルックアップテーブルという形で保持された状態下において、例えば６ビットの画像データが記憶部７に入力された場合には、ルックアップテーブルに基づいて、入力された６ビットの画像データから例えば８ビットの画像データが駆動ＩＣ５に出力される。そして、駆動ＩＣ５に出力された画像データに基づいて、各画素内の有機ＥＬ素子が所望のレベルで発光することになる。
【００２７】
なお、上記の処理の中で、ルックアップテーブルによって補正される前の画像データ（画像入力データ）はルックアップテーブルによって６ビットから８ビットに変換されたが、画像入力データおよび画像出力データが共に６ビットであってもよい。すなわち、画像入力レベルがｎ（ｎは自然数）ビットで、画像出力レベルがｍ（ｍ≧ｎ）ビットであればよい。ただし、画像入力レベルよりも画像出力レベルが大きい方がルックアップテーブルによって細かな補正が行なえるため、本実施形態のように画像入力データよりも画像出力データのビット数を多くする方が好ましい。
【００２８】
また、上記の処理では、記憶部７のルックアップテーブルに保持されるガンマテーブルは、制御ＩＣ１０から伝送された被調整ガンマテーブルであるように説明したが、ルックアップテーブルには予め標準ガンマテーブルを入力しておくことが好ましい。このような処理とすれば、テーブル出力部１５に対して色調調整データおよび階調調整データが入力されず、標準ガンマテーブルの調整処理を行う必要がない場合、すなわち初期設定の状態で使用する場合には、本体側の制御ＩＣ１０から被調整ガンマテーブルに関する情報を伝送する必要はなく、初期設定の状態で使用する旨の制御情報のみを伝送するだけでよい。
【００２９】
また、図２の構成では、色調および／または階調に対する調整処理を行うテーブル出力部１５の機能を本体側の基板９に配置される制御ＩＣ１０内に設けるようにしているが、この処理機能を表示部側の駆動ＩＣ５内に設けることも可能である。ただし、色調および／または階調に対する調整処理は、例えばユーザの好みの画面に変更する場合や、視認性の向上のために昼夜間で画面を切り替えて使用する場合など、本体装置側から主導的に行われる場合が多い。したがって、本実施の形態のように、テーブル出力部１５の機能を表示部が形成された素子基板２以外の領域（例えば、ＦＰＣ８や基板９等の外部基板）に設けることが好ましい。また、同様の理由により入力部１１についても、素子基板２側ではなく、ＦＰＣ８や基板９等の外部基板に設けることが好ましい。なお、このように構成すれば、表示部の製造者と本体側の製造者とが異なった場合であっても、両者間の機能の切り分けや信号授受が容易になる。
【００３０】
つぎに、画像データに関して色調および階調の調整を行う処理について図３を参照して説明する。
【００３１】
ここで、色調および階調の調整処理は、例えば次式を用いて行なわれる。
ｆｒ＝αｒ×α０ｒ×（ｄｒ／６３）γ×γ0r  （γ：0.5〜2.0、αｒ：0.5〜2.0）        …（１）
ｆｇ＝αｇ×α０ｇ×（ｄｇ／６３）γ×γ0g  （γ：0.5〜2.0、αｇ：0.5〜2.0）        …（２）
ｆｂ＝αｂ×α０ｂ×（ｄｂ／６３）γ×γ0b  （γ：0.5〜2.0、αｂ：0.5〜2.0）        …（３）
【００３２】
なお、上記、（１）〜（３）式における記号の意味はつぎのとおりである。
ｄｒ，ｄｇ，ｄｂ：画像入力信号（ＲＧＢ）の各入力値（６ビット）
ｆｒ，ｆｇ，ｆｂ：画像出力信号（ＲＧＢ）の各出力値（８ビット）
γ：ＲＧＢの各色共通のγ値
γ０ｒ，γ０ｇ，γ０ｂ：標準ガンマテーブルにおけるγ値
αｒ，αｇ，αｂ：ＲＧＢごとに定められる色調調整係数
α０ｒ，α０ｇ，α０ｂ：標準ガンマテーブルにおける色調係数
【００３３】
上記の各式において、γ＝１の場合は、階調に関して補正を行なわず、標準ガンマテーブルを用いるという意味である。γ＞１の場合は、γが大きいほど階調が硬調側にシフトし、γ＜１の場合はγが小さいほど軟調側にシフトする。γの値を各色共通の値としている理由は、階調を軟調化あるいは硬調化させても、ホワイトバランスを良好に維持するためであるが、この点を問題視しないのであれば、各色個別に値を設定するようにしてもよい。
【００３４】
また、色調調整係数は、１よりも値が大きいと、標準ガンマテーブルよりも輝度勾配が大きくなり、当該色が強調され、１よりも値が小さいと標準ガンマテーブルよりも輝度勾配が小さくなり、当該色が弱調される。従って、αｒ＝αｇ＝αｂ＝１の場合は、色調に関して補正を行なわず、標準ガンマテーブルを用いるという意味になる。また、例えばαｒをαｇやαｂよりも大きくすると全体として赤が強調された色となる。なお、γ０ｒ，γ０ｇ，γ０ｂは、ディスプレイによって異なるが、２．０〜２．５に設定されることが多い。
【００３５】
図３の下段部左側に示す階調にかかる特性は、同図の上段部左側に示した赤色の標準ガンマテーブルの階調を、軟調（Ｋ１：γ×γ０≒１）から段階的に硬調側（Ｋ２，Ｋ３：γ×γ０＞１）に調整した場合の一例を示している。また、同図の下段部右側に示す色調にかかる特性は、同図の上段部左側に示した赤色の標準ガンマテーブルの色調を、標準（Ｍ１：αｒ＝１）から弱調側（Ｍ２，Ｍ３：αｒ＜１）に調整した場合の一例を示している。
【００３６】
なお、上記では、赤色の階調および色調にかかる被調整ガンマテーブルについて説明したが、緑色および青色についても、同様な被調整ガンマテーブルが生成される。また、これらの被調整ガンマテーブルは、表示部側の記憶部７に伝送され、ルックアップテーブルとして保持されることは前述のとおりである。
【００３７】
以上説明したように、この実施の形態によれば、有機ＥＬ素子を具備する複数の画素を発光駆動する際の初期値として使用する標準ガンマテーブルを、入力される色調および／または階調調整データに基づいて調整し、被調整ガンマテーブルを作成する。そして被調整ガンマテーブルをルックアップテーブルとして記憶保持し、このルックアップテーブルの出力に基づいて複数の各画素を発光駆動するようにしている。従って、表示パネルの製造ロットごとの特性の差異や発光素子を制御する駆動トランジスタの特性の優劣の影響が抑制され、ＲＧＢごとのグラデーションを確保しつつ良好な表示制御が可能となる。
【００３８】
（実施の形態２）
図４は、本発明の実施の形態２にかかる標準ガンマテーブルの変換処理過程を示す図である。実施の形態１との差異は、標準ガンマテーブルの変換処理によって生成された被調整ガンマテーブルを記憶部７に予め保持しておく点にある。なお、各処理部の構成や変換処理過程等については、実施の形態１と同一または同等であり、それらにかかる説明は省略する。
【００３９】
図４には、記憶部７に予め保持しておくルックアップテーブルとして、例えば、標準γ、色温度高、色温度低、γ＝２．０、γ＝１．０、γ＝０．８、・・・・等の典型的な被調整ガンマテーブルが準備されている。このように、典型的な被調整ガンマテーブルをルックアップテーブルに予め保持しておくことにより、例えば画面表示変更の要求がなされた場合であっても、テーブル出力部１５から記憶部７に対して被調整ガンマテーブルを伝送することなく、ルックアップテーブルの選択信号（ＬＵＴ選択信号）のみで所望の被調整画像データを駆動ＩＣ５に出力することができ、画面表示変更の要求を瞬時に反映させることが可能となる。
【００４０】
なお、典型的な被調整ガンマテーブルが保持される領域とは別に、テーブル出力部１５から伝送される被調整ガンマテーブルを保持するための領域を確保するようにすれば、記憶部７に予め保持された典型的な被調整ガンマテーブル以外の画面表示への設定変更も可能となる。
【００４１】
また、本発明は、上述の実施形態に限られるものではなく、種々の変更や改良が可能である。例えば、上述の実施形態において、入力部１１を省略し、入力部１１より入力される色調調整データまたは階調調整データを、予め記憶部６や記憶部７、その他の記憶手段によって記憶保持させるようにしてもよい。
【産業上の利用可能性】
【００４２】
以上のように、本発明にかかる有機ＥＬ表示装置および有機ＥＬ表示装置の駆動方法は、有機ＥＬ表示装置に固有なガンマ補正技術として有用である。
【図面の簡単な説明】
【００４３】
【図１】本発明の好適な実施の形態にかかる有機ＥＬ表示装置の概略構成を示す図である。
【図２】本発明の実施の形態１にかかる標準ガンマテーブルの変換処理過程を示す図である。
【図３】標準ガンマテーブルから被調整ガンマテーブルが生成される概念を示す図である。
【図４】本発明の実施の形態２にかかる標準ガンマテーブルの変換処理過程を示す図である。
【符号の説明】
【００４４】
１  発光部
２  素子基板
３  封止基板
４  封止材
５  駆動ＩＣ
６，７  記憶部
８  ＦＰＣ
９  基板
１０  制御ＩＣ
１１  入力部
１５  テーブル出力部
【図１】
2007274198.tif 000003
【図２】
2007274198.tif 000004
【図３】
2007274198.tif 000005
【図４】
2007274198.tif 000006
【手続補正書】
【提出日】平成18年5月9日(2006.5.9)
【手続補正１】
【補正対象書類名】明細書
【補正対象項目名】００３１
【補正方法】変更
【補正の内容】
【００３１】
ここで、色調および階調の調整処理は、例えば次式を用いて行なわれる。
ｆｒ＝αｒ×α０ｒ×(ｄｒ／６３)^(γ×γ０ｒ)  （γ：0.5〜2.0、αｒ：0.5〜2.0）        …（１）
ｆｇ＝αｇ×α０ｇ×(ｄｇ／６３)^(γ×γ０ｇ)  （γ：0.5〜2.0、αｇ：0.5〜2.0）        …（２）
ｆｂ＝αｂ×α０ｂ×(ｄｂ／６３)^(γ×γ０ｂ)  （γ：0.5〜2.0、αｂ：0.5〜2.0）        …（３）